(57)【要約】【課題】利用者が排紙フェンスを移動させることなく、印刷された印刷用紙を取り出せるようにする共に、再度印刷の開始を可能にする。【解決手段】印刷された印刷用紙Ｗを載置する排紙台１１２と、排紙台１１２上に設けられ、印刷された印刷媒体に干渉して排紙台１１２上の載置位置を規制する起立位置と、印刷用紙Ｗの載置位置を規制しない傾倒位置とに変移可能なサイドフェンス１１３，１１４及びエンドフェンス１１５と、サイドフェンス１１３，１１４及びエンドフェンス１１５を起立位置又は傾倒位置になるように駆動する排紙フェンス駆動機構１３０とを備える。【選択図】図３
2012076831.tif 000002
【特許請求の範囲】
【請求項１】
印刷媒体に印刷する印刷手段と、
前記印刷された印刷媒体を載置する排紙台と、
前記排紙台上に設けられ、前記印刷された印刷媒体に干渉して前記排紙台上の載置位置を規制する起立位置と、前記印刷媒体の載置位置を規制しない傾倒位置とに変移可能な排紙フェンスと、
前記排紙フェンスを前記起立位置又は前記傾倒位置になるように駆動する排紙フェンス駆動機構と、
を備えたことを特徴とする画像形成装置。
【請求項２】
前記印刷手段による印刷が終了し、前記印刷媒体の前記排紙台への載置が終了すると、前記排紙フェンスが前記傾倒位置になるように前記排紙フェンス駆動機構を駆動させる駆動制御手段、
を更に備えたことを特徴とする請求項１記載の画像形成装置。
【請求項３】
前記排紙台に載置された印刷媒体を検出する検出手段、を更に備え、
前記駆動制御手段は、
前記検出手段により印刷媒体が検出されなくなった場合、又は前記印刷手段による印刷開始が要求された場合に、前記排紙フェンスが前記起立位置になるように前記排紙フェンス駆動機構を駆動させる
ことを特徴とする請求項２記載の画像形成装置。
【発明の詳細な説明】
【技術分野】
【０００１】
本発明は、印刷された印刷媒体を積載するための排紙台を備える画像形成装置に関する。
【背景技術】
【０００２】
一般的に、製版された孔版原紙をドラムに巻き付けた後、印刷用紙をこのドラムに給紙し、この供給された印刷用紙をプレスローラによりドラムに圧接することにより印刷を行う孔版印刷装置が良く知られている。
【０００３】
このような一般的な孔版印刷装置において印刷された印刷用紙は、孔版印刷装置の側面に設けられた排紙台に積置される。
【０００４】
特許文献１には、排紙された印刷用紙を載置する排紙台と、この排紙台上に設けられ、排紙される印刷用紙の載置位置を規制する直立位置と印刷用紙の載置位置を規制できない傾倒位置とに変移可能な排紙フェンスと、この排紙フェンスが直立位置に位置するか傾倒位置に位置するかを検出するフェンス倒れ検出センサと、このフェンス倒れ検出センサにより排紙フェンスが傾倒位置に位置することが検出されている状態で製版動作又は印刷動作が選択されるとエラーの警告を出力する出力手段とを備える孔版印刷装置が提案されている。
【先行技術文献】
【特許文献】
【０００５】
【特許文献１】特開２００１−３２２２５８号公報
【発明の概要】
【発明が解決しようとする課題】
【０００６】
しかしながら、特許文献１に記載の孔版印刷装置では、フェンス倒れ検出センサにより排紙フェンスが傾倒位置に位置することが検出されている状態で製版動作又は印刷動作が選択されるとエラーの警告を出力するので、再度、印刷するためには、利用者が排紙フェンスを直立位置になるように移動させなければならなかった。
【０００７】
本発明は、上記課題に鑑みてなされたものであり、利用者は排紙フェンスを移動させることなく、印刷された印刷用紙を取り出すことがきると共に、再度印刷を開始する画像形成装置を提供することを目的とする。
【課題を解決するための手段】
【０００８】
上記目的を達成するため、本発明に係る画像形成装置の第１の特徴は、印刷媒体に印刷する印刷手段と、前記印刷された印刷媒体を載置する排紙台と、前記排紙台上に設けられ、前記印刷された印刷媒体に干渉して前記排紙台上の載置位置を規制する起立位置と、前記印刷媒体の載置位置を規制しない傾倒位置とに変移可能な排紙フェンスと、前記排紙フェンスを前記起立位置又は前記傾倒位置になるように駆動する排紙フェンス駆動機構と、を備えたことにある。
【０００９】
本発明に係る画像形成装置の第２の特徴は、前記印刷手段による印刷が終了し、前記印刷媒体の前記排紙台への載置が終了すると、前記排紙フェンスが前記傾倒位置になるように前記排紙フェンス駆動機構を駆動させる駆動制御手段を更に備えたことにある。
【００１０】
本発明に係る画像形成装置の第３の特徴は、前記排紙台に載置された印刷媒体を検出する検出手段、を更に備え、前記駆動制御手段は、前記検出手段により印刷媒体が検出されなくなった場合、又は前記印刷手段による印刷開始が要求された場合に、前記排紙フェンスが前記起立位置になるように前記排紙フェンス駆動機構を駆動させることにある。
【発明の効果】
【００１１】
本発明に係る画像形成装置の第１の特徴によれば、利用者が排紙フェンスを移動させることなく、印刷された印刷用紙を取り出すことがきると共に、再度印刷を開始することができる。
【００１２】
本発明に係る画像形成装置の第２の特徴によれば、印刷手段による印刷が終了すると、排紙フェンスが傾倒位置になるように排紙フェンス駆動機構を駆動させるので、利用者はいつでも、排紙台上に載置された印刷媒体を取り出すことができる。
【００１３】
本発明に係る画像形成装置の第３の特徴によれば、検出手段により印刷媒体が検出されていない場合、又は印刷手段による印刷開始が要求された場合に、排紙フェンスが起立位置になるように排紙フェンス駆動機構を駆動させるので、次の印刷に備えて、排紙フェンスを起立位置にすることができる。
【図面の簡単な説明】
【００１４】
【図１】本発明の一実施形態である両面孔版印刷装置の構成を示した構成図である。
【図２】本発明の一実施形態である両面孔版印刷装置に備えられた排紙部の構成を示した構成図である。
【図３】本発明の一実施形態である両面孔版印刷装置に備えられたサイドフェンスの排紙フェンス駆動機構の側面図である。
【図４】本発明の一実施形態に係る両面孔版印刷装置の機能構成を示した機能構成図である。
【図５】本発明の一実施形態である両面孔版印刷装置の処理フローを示したフローチャートである。
【発明を実施するための形態】
【００１５】
本発明を実施するための形態について以下に説明する。
【００１６】
本発明の一実施形態では、原稿から画像を読み込み、この読み込んだ画像に基づいて、第１の孔版原紙が巻装された上流側のドラムにより印刷用紙（印刷媒体）の表面を印刷し、第２の孔版原紙が巻装された下流側のドラムにより印刷用紙の裏面を印刷する２ドラム式の両面孔版印刷装置を例に挙げて説明する。
【００１７】
＜両面孔版印刷装置の構成＞
本発明の一実施形態である両面孔版印刷装置の構成について説明する。
【００１８】
図１は、本発明の一実施形態である両面孔版印刷装置の構成を示した構成図である。
【００１９】
図１に示すように、両面孔版印刷装置１は、画像読み取り部２と、給紙部３と、第１の印刷部４と、第２の印刷部５と、製版部６と、第１の排版部８と、第２の排版部９と、反転部１０と、排紙部１１とを備えている。
【００２０】
画像読み取り部２は、両面孔版印刷装置１の上部に設けられ、図示しないコンタクトガラス上に載置された原稿から画像データを読み取る。
【００２１】
製版部６は、ロールされた長尺状の孔版原紙Ｇを収容する原紙収容部６１と、この原紙収容部６１の搬送下流に配置され、孔版原紙Ｇを加熱穿孔するサーマルヘッド６２と、このサーマルヘッド６２の対向位置に配置されたプラテンロール６３と、このプラテンロール６３及びサーマルヘッド６２の搬送下流に配置された一対の原紙送りロール６４と、一対の原紙送りロール６４の搬送下流に配置された原紙カッタ６５とを有し、画像読み取り部２により読み取られた画像データに基づいて製版を行う。
【００２２】
また、製版部６は、図示しないレールによって図１におけるＸ方向に移動自在に支持されており、孔版原紙Ｇを供給する破線で示した位置と、後述する第２の印刷部５に製版した孔版原紙Ｇを供給する実線で示した位置とを選択的に占める。
【００２３】
第１の排版部８は、後述する第１の印刷部４の第１のドラム４１の外周面よりクランプ解除された孔版原紙Ｇを第１のドラム４１より引き剥がし、引き剥がされた孔版原紙Ｇを排版ボックス（図示しない）内に収納する。また、第２の排版部９は、第１の排版部８と同様の構成を有する。
【００２４】
給紙部３は、印刷用紙Ｗが積層される給紙台３１と、この給紙台３１から最上位置の印刷用紙Ｗのみを搬送させる１次給紙ロール３２と、この１次給紙ロール３２によって搬送された印刷用紙Ｗを後述する第１の印刷部４の第１のドラム４１の回転に同期して第１のドラム４１と第１のプレスローラ４３間に搬送する一対の２次給紙ロール３３とを有する。
【００２５】
第１の印刷部４は、メインモータ（図示しない）の駆動力によって図１の矢印Ａ方向に回転する第１のドラム４１と、この第１のドラム４１の外周面に設けられ、孔版原紙Ｇの先端をクランプする原紙クランプ部４２と、印刷用紙Ｗを反転部１０へ搬送する搬送ベルト４４と、第１のドラム４１の下方位置に配置された第１のプレスローラ４３とを備えている。
【００２６】
そして、第１のドラム４１の回転に同期して給紙部３より給紙される印刷用紙Ｗを第１のプレスローラ４３で第１のドラム４１に巻装された第１の孔版原紙に押圧することによって、第１の孔版原紙の穿孔からインクが押し出されて画像が印刷装置Ｗの表面に印刷されるようになっている。
【００２７】
第１のプレスローラ４３が第１のドラム４１に押圧することによって画像が印刷された印刷用紙Ｗは、両端が一対の回転軸に巻きかけられた環状の搬送ベルト４４によって反転部１０に搬送される。
【００２８】
反転部１０は、第１の印刷部４に対して印刷用紙Ｗの搬送方向下流側に配置され、多孔構造に形成された環状の反転ベルト１０１が半円形状に配置されている。この反転ベルト１０１は、半円形状の補助部材１０２と一対のローラ１０３，１０４に巻きかけられ、一対のローラ１０３，１０４のうち少なくとも一方のローラが駆動モータ（不図示）で回転駆動される。この反転部１０により印刷用紙Ｗの表裏が反転され、積載台１０６に印刷用紙Ｗを搬送される。
【００２９】
積載台１０６に、複数枚積載された印刷用紙Ｗは中間搬送ベルト１０７，一対のローラ１０９によって第２の印刷部５に搬送される。
【００３０】
第２の印刷部５は、第１の印刷部４と同様に、第２のドラム５１の回転に同期して一対の２次給紙ロール５４より給紙される印刷用紙Ｗを第２のプレスローラ５３で第２のドラム５１に巻装された第２の孔版原紙に押圧することによって、第２の孔版原紙の穿孔からインクが押し出されて画像が印刷用紙Ｗの裏面に印刷されるようになっている。
【００３１】
排紙部１１は、印刷された印刷用紙Ｗが搬送される排紙ベルト１１１と、排紙ベルト１１１より排紙される印刷用紙Ｗが積置される排紙台１１２と、を有する。
【００３２】
図２は、本発明の一実施形態である両面孔版印刷装置１に備えられた排紙部１１を示した射視図である。
【００３３】
図２に示すように、排紙台１１２は、排紙される印刷用紙Ｗの落下位置に配置され、この排紙台１１２上には排紙フェンスである一対のサイドフェンス１１３，１１４及びエンドフェンス１１５が設けられている。一対のサイドフェンス１１３，１１４及びエンドフェンス１１５は、それぞれ排紙される印刷用紙Ｗに干渉して載置位置を規制する起立位置と印刷用紙Ｗの載置位置を規制できない傾倒位置とに変移可能に設けられている。一対のサイドフェンス１１３，１１４は図中矢印Ｘ１又はＸ２で示した左右方向に、エンドフェンス１１５は前後Ｚ１又はＺ２方向にそれぞれ移動可能なように設けられており、一対のサイドフェンス１１３，１１４は排紙される印刷用紙Ｗの左右端を規制し、エンドフェンス１１５は排紙される印刷用紙Ｗの前端を規制する。
【００３４】
そして、一対のサイドフェンス１１３，１１４及びエンドフェンス１１５を起立位置又は傾倒位置になるように駆動する排紙フェンス駆動機構が設けられている。
【００３５】
図３は、本発明の一実施形態である両面孔版印刷装置１に備えられたサイドフェンス１１４の排紙フェンス駆動機構１３０の側面図である。なお、排紙フェンス駆動機構１３０は、サイドフェンス１１３，１１４及びエンドフェンス１１５それぞれに対応して設けられており、それぞれ同一の構成を有するので、ここでは、代表して、サイドフェンス１１４の排紙フェンス駆動機構１３０について説明する。
【００３６】
図３に示すように、排紙フェンス駆動機構１３０は、移動ユニット１１６と、モータ１１８と、傾倒ウォームギア１１９と、傾倒ギア１２０とを備えている。
【００３７】
移動ユニット１１６は、排紙台１１２に設けられ、この移動ユニット１１６上に、モータ１１８が固定されている。また、移動ユニット１１６は、一対のローラ１１７ａ，１１７ｂを備えており、一対のローラ１１７ａ，１１７ｂのうち少なくとも一方のローラが駆動モータ（不図示）で回転駆動されることにより、移動ユニット１１６がＸ１又はＸ２方向に移動する。これにより、移動ユニット１１６上に固定されたモータ１１８もＸ１又はＸ２方向に移動する。
【００３８】
モータ１１８は、後述する制御部２０の指示により、モータ軸を回転駆動してこのモータ軸に固定された傾倒ウォームギア１１９を回転させる。そして、傾倒ウォームギア１１９が回転することにより、傾倒ウォームギア１１９に係合された傾倒ギア１２０に回転駆動が伝達し、この傾倒ギア１２０に固定されたサイドフェンス１１４が、図中矢印Ｙ１又はＹ２に傾倒する。
【００３９】
図３に示すように、サイドフェンス１１４が、図中矢印Ｙ１方向に傾倒して、印刷用紙Ｗの排紙台１１２上の載置位置を規制できない位置を傾倒位置といい、サイドフェンス１１４が、図中矢印Ｙ２方向に起立して、印刷用紙Ｗに干渉して載置位置を規制する位置を起立位置という。なお、この起立位置は、移動ユニット１１６に対して直立とは限らず、印刷用紙Ｗの載置位置を規制可能な程度の傾きは許容される。
【００４０】
図４は、本発明の一実施形態に係る両面孔版印刷装置１の機能構成を示した機能構成図である。
【００４１】
図４に示すように、本発明の一実施形態に係る両面孔版印刷装置１は、排紙部１１と、操作部１５と、制御部２０とを備えている。
【００４２】
操作部１５は、両面孔版印刷装置１の上部に設けられ、製版や印刷等を開始させるためのスタートキー、製版や印刷等を停止させるためのストップキー、印刷枚数等を入力するためのテンキー（いずれも図示せず）等の各種操作キーとを備え、利用者操作に基づく操作信号を制御部７０に供給する。
【００４３】
排紙部１１は、フェンス倒れ検出センサ１２１と、紙有無センサ１２２と、モータ１１８とを備えている。
【００４４】
フェンス倒れ検出センサ１２１は、一対のサイドフェンス１１３，１１４及びエンドフェンス１１５それぞれに対応するフェンス倒れ検出センサ１２１ａ，１２１ｂ，１２１ｃを有し、それぞれ一対のサイドフェンス１１３，１１４及びエンドフェンス１１５が起立位置か傾倒位置かを検出する。
【００４５】
紙有無センサ１２２は、排紙台１１２上に、印刷用紙Ｗが載置されているかを検出する。
【００４６】
モータ１１８は、一対のサイドフェンス１１３，１１４及びエンドフェンス１１５それぞれに対応するモータ１１８ａ，１１８ｂ，１１８ｃを有し、後述する制御部２０からの指示に従って、それぞれ一対のサイドフェンス１１３，１１４及びエンドフェンス１１５が起立位置又は傾倒位置になるように駆動する。
【００４７】
制御部２０は、両面孔版印刷装置１の中枢的な制御を行う。具体的には、制御部２０は、画像読み取り部２と、給紙部３と、第１の印刷部４と、第２の印刷部５と、製版部６と、第１の排版部８と、第２の排版部９と、反転部１０と、排紙部１１と、操作部１５とを制御する。
【００４８】
また、制御部２０は、その機能上、判定部２０ａと、駆動制御部２０ｂとを備えている。
【００４９】
判定部２０ａは、紙有無センサ１２２の検出結果に基づいて、排紙台１１２上に印刷用紙Ｗが載置されているか否かを判定する。また、判定部２０ａは、利用者の操作により、操作部１５から印刷の開始を要求する操作信号が供給されたか否かを判定する。
【００５０】
駆動制御部２０ｂは、第１の印刷部４及び第２の印刷部５による全ての部数の印刷が終了し、印刷用紙Ｗの排紙台１１２上への載置が終了すると、一対のサイドフェンス１１３，１１４及びエンドフェンス１１５を傾倒位置になるように、一対のサイドフェンス１１３，１１４及びエンドフェンス１１５に対応して設けられた排紙フェンス駆動機構１３０を駆動させる。
【００５１】
また、駆動制御部２０ｂは、紙有無センサ１２２により印刷用紙Ｗが検出されていない場合、又は印刷開始が要求された場合に、一対のサイドフェンス１１３，１１４及びエンドフェンス１１５が起立位置になるように排紙フェンス駆動機構１３０を駆動させる。
【００５２】
＜両面孔版印刷装置１の作用＞
次に、本発明の一実施形態である両面孔版印刷装置１の作用について説明する。
【００５３】
図５は、本発明の一実施形態である両面孔版印刷装置１の処理フローを示したフローチャートである。
【００５４】
図５に示すように、印刷が終了した場合（ステップＳ１０１）、より具体的には、印刷部４、５による印刷が終了し、印刷媒体の排紙部１１への載置が終了した場合、制御部２０の駆動制御部２０ｂは、一対のサイドフェンス１１３，１１４及びエンドフェンス１１５を傾倒位置になるように、一対のサイドフェンス１１３，１１４及びエンドフェンス１１５に対応して設けられた排紙フェンス駆動機構１３０を駆動させる（ステップＳ１０３）。具体的には、駆動制御部２０ｂは、モータ１１８（１１８ａ，１１８ｂ，１１８ｃ）を駆動させることにより、一対のサイドフェンス１１３，１１４及びエンドフェンス１１５を図３に示したＹ１方向に倒すことにより傾倒位置に移動させる。
【００５５】
次に、制御部２０の判定部２０ａは、印刷用紙Ｗが検出されているか否かを判定する（ステップＳ１０５）。具体的には、紙有無センサ１２２の検出結果に基づいて、排紙台１１２上に印刷用紙Ｗが載置されているか否かを判定する。
【００５６】
ステップＳ１０５において、印刷用紙Ｗが検出されていると判定された場合（ＹＥＳの場合）、判定部２０ａは、印刷の開始が要求されたか否かを判定する（ステップＳ１０７）。具体的には、利用者の操作により、操作部１５から印刷の開始を要求する操作信号が供給されたか否かを判定する。
【００５７】
ステップＳ１０７において、印刷の開始が要求されていないと判定された場合（ＮＯ）の場合、処理をステップＳ１０５へ移行する。
【００５８】
このように、印刷用紙Ｗが検出されており、かつ印刷の開始が要求されていない場合、一対のサイドフェンス１１３，１１４及びエンドフェンス１１５は傾倒位置にあるので、一対のサイドフェンス１１３，１１４及びエンドフェンス１１５を手動で傾倒位置に移動させることなく、利用者はいつでも、排紙台１１２上に載置された印刷用紙Ｗを取り出すことができる。
【００５９】
一方、ステップＳ１０５において、印刷用紙Ｗが検出されなくなったと判定された場合（ＮＯの場合）、又はステップＳ１０７において、印刷の開始が要求されたと判定された場合（ＹＥＳ）の場合、制御部２０の駆動制御部２０ｂは、一対のサイドフェンス１１３，１１４及びエンドフェンス１１５を起立位置になるように、一対のサイドフェンス１１３，１１４及びエンドフェンス１１５に対応して設けられた排紙フェンス駆動機構１３０を駆動させる（ステップＳ１０９）。具体的には、駆動制御部２０ｂは、モータ１１８（１１８ａ，１１８ｂ，１１８ｃ）を駆動させることにより、一対のサイドフェンス１１３，１１４及びエンドフェンス１１５を図３に示したＹ２方向に起こすことにより起立位置に移動させる。
【００６０】
このように、紙有無センサ１２２により印刷用紙Ｗが検出されなくなった場合、又は紙有無センサ１２２により印刷用紙Ｗが検出されているが印刷開始が要求された場合に、一対のサイドフェンス１１３，１１４及びエンドフェンス１１５が起立位置になるように排紙フェンス駆動機構１３０を駆動させるので、印刷された印刷用紙Ｗを取り出された後、又はこれから再度印刷が行われる場合に、次の印刷に備えて、一対のサイドフェンス１１３，１１４及びエンドフェンス１１５を自動的に起立位置にする。
【００６１】
以上のように、本発明の一実施形態である両面孔版印刷装置１によれば、排紙台１１２上に設けられ、印刷された印刷用紙Ｗに干渉して排紙台１１２上の載置位置を規制する起立位置と、印刷用紙Ｗの載置位置を規制しない傾倒位置とに変移可能な一対のサイドフェンス１１３，１１４及びエンドフェンス１１５と、一対のサイドフェンス１１３，１１４及びエンドフェンス１１５を起立位置又は傾倒位置になるように駆動する排紙フェンス駆動機構１３０とを備えているので、利用者は排紙フェンスを手動で移動させることなく、印刷された印刷用紙Ｗを取り出すことがきると共に、再度印刷を開始することができる。
【００６２】
なお、本発明の一実施形態では、一対のサイドフェンス１１３，１１４及びエンドフェンス１１５を起立位置又は傾倒位置になるように駆動する排紙フェンス駆動機構１３０を備えた両面孔版印刷装置１を例に挙げて説明したが、これに限らない。
【００６３】
例えば、一対のサイドフェンス１１３，１１４及びエンドフェンス１１５のうち、少なくともいずれか１つを起立位置又は傾倒位置になるように駆動する排紙フェンス駆動機構１３０を備えるようにしてもよい。
【００６４】
また、本発明の一実施形態では、第１の孔版原紙が巻装された上流側のドラムにより印刷用紙（印刷媒体）の表面を印刷し、第２の孔版原紙が巻装された下流側のドラムにより印刷用紙の裏面を印刷する２ドラム式の両面孔版印刷装置１を例に挙げて説明したが、１ドラム式の孔版印刷装置や、ライン単位で印刷を行うインクジェット方式のライン型の画像形成装置や、レーザ方式の画像形成装置であってもよい。
【符号の説明】
【００６５】
１…両面孔版印刷装置（画像形成装置）
２…画像読み取り部
３…給紙部
４…第１の印刷部
５…第２の印刷部
６…製版部
８…第１の排版部
９…第２の排版部
１０…反転部
１１…排紙部
１５…操作部
２０…制御部
２０ａ…判定部
２０ｂ…駆動制御部
１１１…排紙ベルト
１１２…排紙台
１１３，１１４…サイドフェンス（排紙フェンス）
１１５…エンドフェンス（排紙フェンス）
１１６…移動ユニット
１１７ａ，１１７ｂ…ローラ
１１８（１１８ａ，１１８ｂ，１１８ｃ）…モータ
１１９…傾倒ウォームギア
１２０…傾倒ギア
１２１（１２１ａ，１２１ｂ，１２１ｃ）…フェンス倒れ検出センサ
１２２…紙有無センサ（検出手段）
１３０…排紙フェンス駆動機構
【図１】
2012076831.tif 000003
【図２】
2012076831.tif 000004
【図３】
2012076831.tif 000005
【図４】
2012076831.tif 000006
【図５】
2012076831.tif 000007